(57)【要約】【課題】傾斜部、強風下などの通常の地表面では考えられないような条件下での使用が可能であり、さらに、リサイクル材を大量に使用するが重金属の溶出などの公害のない人工土壌を提供する。【解決手段】防根層１と、該防根層１の上に形成された植生層３とを備えてなる人工土壌であって、植生層３が都市ごみ溶融スラグまたは鉄鋼スラグを重量比５０％以上含む。また、植生層３を構成する都市ごみ溶融スラグまたは鉄鋼スラグが、繊維状に加工処理されたロックウールの形態である。【選択図】        図１
2004173596.tif 000002
【特許請求の範囲】
【請求項１】
防根層と、該防根層の上に形成された植生層とを備えてなる人工土壌であって、
前記植生層が都市ごみ溶融スラグまたは鉄鋼スラグを重量比５０％以上含むことを特徴をする人工土壌。
【請求項２】
植生層を構成する都市ごみ溶融スラグまたは鉄鋼スラグが、繊維状に加工処理されたロックウールの形態であることを特徴とする請求項１記載の人工土壌。
【請求項３】
植生層を構成する都市ごみ溶融スラグまたは鉄鋼スラグが、中空状に加工処理された発泡スラグの形態であることを特徴とする請求項１記載の人工土壌。
【請求項４】
植生層が、都市ごみ溶融スラグまたは鉄鋼スラグからなる粒状体をモルタルなどの結合材で板材に成形した版状体であることを特徴とする請求項１記載の人工土壌。
【請求項５】
植生層が、都市ごみ溶融スラグまたは鉄鋼スラグの粒状体又は版状体からなる育成層と、該育成層の下に形成された都市ごみ溶融スラグまたは鉄鋼スラグを繊維状に加工処理した親水性ロックウールからなる保水層と、該保水層の下に形成された都市ごみ溶融スラグまたは鉄鋼スラグを繊維状に加工処理すると共に撥水処理した撥水性ロックウールからなる排水層と、を備えてなることを特徴とする請求項１記載の人工土壌。
【請求項６】
防根層を容器型に形成したことを特徴とする請求項１〜６のいずれかに記載の人工土壌。
【請求項７】
植生層を容器型に形成したことを特徴とする請求項４記載の人工土壌。
【請求項８】
植生層を構成する都市ごみ溶融スラグまたは鉄鋼スラグに、窒素、リンを吸着させたことを特徴とする請求項１〜７のいずれかに記載の人工土壌。
【請求項９】
植生層に、製鉄工程で製造される珪酸カルシウムを原料とした固形肥料を含ませたことを特徴とする請求項１〜７のいずれかに記載の人工土壌。
【請求項１０】
防根層を、使用済みプラスチック再生材から形成したことを特徴とする請求項１〜９のいずれかに記載の人工土壌。
【発明の詳細な説明】
【０００１】
【発明の属する技術分野】
屋上、壁面、ベランダなどを緑化するための人工土壌に関する。
【０００２】
【従来の技術】
環境保全の観点から、屋上や壁面などの緑化の要請が高まってきている。
また、循環型社会形成の観点から、建設資材のリサイクル使用の要請が高まっている。
このような背景から、大谷石やＡＬＣ再生破砕物を使用したリサイクル軽量園芸土が提案されている（例えば、特許文献１参照）。
また、廃プラスチック再生材から緑化用植生容器を形成し、この容器に産廃焼却炉から発生する粒状焼成物を用いた土壌材を収容したコンクリート構造物の緑化工法が提案されている（例えば、特許文献２参照）。
【０００３】
【特許文献１】
特開平１０−８４７６７号公報
【特許文献１】
特開平１０−３０６４４６号公報
【０００４】
【発明が解決しようとする課題】
しかしながら、特許文献１記載の園芸土は、植物に有用な土ではあるが、設置面が傾斜している場合、あるいは建物の屋上のような強風下では飛散してしまうため、このような条件には適さない。
また、特許文献２記載のものは、産廃焼却炉から発生する粒状焼成物を土壌材としているため、使用にあたっては、土壌材からの重金属などの有害物の溶出の可能性がある。
【０００５】
本発明は、このような問題を解決するためになされたもので、傾斜部、強風下などの通常の地表面では考えられないような条件下での使用が可能であり、さらに、リサイクル材を大量に使用するが重金属の溶出などの公害のない人工土壌を提供することを目的としている。
【０００６】
【課題を解決するための手段】
本発明に係る人工土壌は、防根層と、該防根層の上に形成された植生層とを備えてなるものであって、前記植生層が都市ごみ溶融スラグまたは鉄鋼スラグを重量比５０％以上含むことを特徴をするものである。
【０００７】
また、植生層を構成する都市ごみ溶融スラグまたは鉄鋼スラグが、繊維状に加工処理されたロックウールの形態であることを特徴とするものである。
【０００８】
また、植生層を構成する都市ごみ溶融スラグまたは鉄鋼スラグが、中空状に加工処理された発泡スラグの形態であることを特徴とするものである。
【０００９】
また、植生層が、都市ごみ溶融スラグまたは鉄鋼スラグからなる粒状体をモルタルなどの結合材で板材に成形した版状体であることを特徴とするものである。
【００１０】
また、植生層が、都市ごみ溶融スラグまたは鉄鋼スラグの粒状体又は版状体からなる育成層と、該育成層の下に形成された都市ごみ溶融スラグまたは鉄鋼スラグを繊維状に加工処理した親水性ロックウールからなる保水層と、該保水層の下に形成された都市ごみ溶融スラグまたは鉄鋼スラグを繊維状に加工処理すると共に撥水処理した撥水性ロックウールからなる排水層と、を備えてなることを特徴とするものである。
【００１１】
また、防根層を容器型に形成したことを特徴とするものである。
【００１２】
また、植生層を容器型に形成したことを特徴とするものである。
【００１３】
また、植生層を構成する都市ごみ溶融スラグまたは鉄鋼スラグに、窒素、リンを吸着させたことを特徴とするものである。
【００１４】
また、植生層に、製鉄工程で製造される珪酸カルシウムを原料とした固形肥料を含ませたことを特徴とするものである。
【００１５】
また、防根層を、使用済みプラスチック再生材から形成したことを特徴とするものである。
【００１６】
【発明の実施の形態】
実施の形態１．
図１は本発明の一実施の形態の人工土壌の断面である。本実施の形態に係る人工土壌は、厚さ２ｍｍ以上の使用済みプラスチック再生材からなる防根層１と、都市ごみ溶融スラグまたは鉄鋼スラグを重量比５０％以上含む植生層３からなる。
【００１７】
防根層１は、植物２の根の張出しを防ぎ、屋上の防水層を保護するためのものである。厚さを２ｍｍ以上としたのは、根の張出しを防止できると共に、ある程度の強度を確保して移動や設置時における損傷を防止するためである。
使用済みプラスチック再生材としたのはコスト低減と循環型社会形状に寄与するためである。もっとも、機能性の面からは、再生材でなくてもよい。
【００１８】
植生層３は、植物２が植えられる層であり、都市ごみ溶融スラグまたは鉄鋼スラグを重量比５０％以上含む層である。植生層３は、植物を苗から育成する場合は粒状のほうが都合がよいが、種子から育成する場合は版状でも粒状でもよい。粒状のものをモルタルなどの結合材で成形すれば版状にすることができる。版状とすると、設置や移動が容易になり、施工の省力化、維持の省力化を図ることができる。
【００１９】
この植生層３の中に、植物や気象条件に応じ、保水材や排水材を適度に混入しておく。保水材や排水材は一般的に軽量であるため、保水材や排水材が強風で飛散したり、また、植生層３に根を張った植物が強風で飛散したりする恐れがあるが、植生層３内の都市ごみ溶融スラグまたは鉄鋼スラグを重量比で５０％以上としておけば、このような飛散をほとんど防止することができる。
【００２０】
ここで、植生層３の材料となる都市ごみ溶融スラグまたは鉄鋼スラグについて説明する。
【００２１】
１．都市ごみ溶融スラグ
都市ごみ溶融スラグは、ごみの減容化と資源循環のため、都市ごみを高温で溶融し、重金属や有害物質を分離した後、冷却したものである。製造方法としては、ごみ焼却灰を溶融、冷却する方法（灰溶融スラグ）と、ごみを直接高温で溶融、冷却する方法（直接溶融スラグ）とがある。
灰溶融スラグと直接溶融スラグの成分の一例を表１に示す。
【表１】
2004173596.tif 000003
【００２２】
都市ごみ溶融スラグの物性や形状は、通常の砂や砂利とほぼ同等であり、大きさは４０ｍｍ以下で、用途に応じた寸法のものが製造される。
都市ごみ溶融スラグ（灰溶融スラグ）には、肥料成分であるＳｉＯ２（珪酸）やＣａＯ（石灰）のほかに微量であるがＰ２Ｏ５（リン酸）、Ｋ２Ｏ（カリ）が含まれるため、植物の育成には好適な材料となる。
また、都市ごみ溶融スラグに含まれている鉄分は、土壌に施すと土壌改良効果があるため、植物の育成に良好な結果を与える。
【００２３】
２．鉄鋼スラグ
鉄鋼スラグは鋼を生産する際に副生されるもので、高炉スラグと製鋼スラグ（転炉スラグ、電気炉スラグ）に大別される。
高炉で原料の鉄鉱石を溶融し銑鉄を製造する際に、溶融した鉄鉱石の鉄以外の成分は、副原料の石灰石やコークス中の灰分と一緒に銑鉄と分離、回収される。この分離、回収されたものが高炉スラグである。
【００２４】
また、高炉で製造した硬くて脆い銑鉄から、不要な成分を除去し、靭性・加工性の有る鋼にするのが製鋼工程であり、転炉や電気炉で行われるが、この工程で副生されるものが製鋼スラグである。高炉スラグ及び製鋼スラグ（転炉スラグ）の成分の一例を表２に示す。
【表２】
2004173596.tif 000004
【００２５】
鉄鋼スラグの物性や形状は、通常の砂や砂利とほぼ同等であり、大きさは４０ｍｍ以下で、用途に応じた寸法のものが製造される。鉄鋼スラグには、肥料成分であるＳｉＯ２（珪酸）やＣａＯ（石灰）が程よく含まれ、植物の育成には好適な材料である。また、表２から分かるように、鉄鋼スラグには一般的な山土などに含まれていない鉄分が含まれており、土壌改良効果があるため、植物の育成に良好な結果を与える。
【００２６】
都市ごみ溶融スラグまたは鉄鋼スラグからなる植生層３は、上述のように、植物の育成には好適な材料であるが、植生効果をより高めるために、人工的に窒素、燐などの養分を吸着させてもよい。
【００２７】
養分の吸着方法としては、植生層３を構成する粒状体を池や河川などの水中に沈設し、少なくとも下記（ａ）及び／又は（ｂ）の作用により水中の燐及び／又は窒素分を粒状体に固定するという方法がある。
（ａ）粒状体に水中の燐及び／又は窒素分を吸着させる。
（ｂ）粒状体に着生した付着藻類及び／又は水生植物に水中の燐及び／又は窒素分を吸収させる。
ここで、上記（ａ）の作用は、電荷を帯びた粒状体表面にイオン化した燐及び／又は窒素が吸着されることによって、これらが粒状体に固定される。
【００２８】
また、上記（ｂ）の作用は、粒状体に着生した付着藻類や水生植物が水中の燐や窒素を栄養分として吸収することによる作用であり、一般に付着藻類としては珪藻類、紅藻類、緑藻類などがあり、また水生植物としては淡水系にあっては沈水性植物や抽水性植物、海水系にあっては海藻類などがある。なお、この（ｂ）の作用を効果的に得るには、粒状体は太陽光が届く水深位置に沈設することが好ましい。
【００２９】
上記（ａ）、（ｂ）の作用は、粒状体として高炉水砕スラグ、都市ごみ溶融水砕スラグ、発泡体化した都市ごみ溶融スラグの中から選ばれる１種以上を用いた場合に特に効果的に得られる。これら３種類のスラグが本発明の中空状に加工処理された発泡スラグに相当する。
これら発泡スラグは多孔質組織であるという共通の特徴を有しており、この多孔質組織であるが故に水中での燐や窒素を吸着するという優れた機能を有している。
【００３０】
高炉水砕スラグはガラス質材料であるが、高温の溶融状態にある高炉スラグ（溶融スラグ）を噴流水で急冷して得られるものであるため、その形態や組織において他のガラス質材料にはない以下のような特質がある。
すなわち、一般のガラス質材料は組織が緻密であるのに対し、高炉水砕スラグの場合には、溶融状態にあるスラグを噴流水で急冷する過程でスラグ中に溶け込んでいる窒素や水分などによってスラグが発泡するため、得られるスラグ粒子は無数の内部気孔を有する多孔質組織のガラス質材料となり、しかも相当に細かい粒子（通常、Ｄ５０が１．０〜２．０ｍｍ程度の粒度）となる。また、同様の理由から高炉水砕スラグの粒子は角張った形状（表面に多数の尖った部分を有する形状）を有している。したがって、このような形態及び組織面での特質から、高炉水砕スラグは一般のガラス質材料の粒状体に較べて水中での燐や窒素を吸着する能力が高く、上記（ａ）の作用が得られやすい。
【００３１】
また、高炉水砕スラグの上記のような形態上の特徴（粒子表面に尖った部分が多数存在する形態）から、高炉水砕スラグの集合物は一般のガラス質材料からなる粒状体の集合物に較べて充填間隙が大きく、通水性に優れている。このためスラグ粒子間の間隙の水が入れ替りやすく、この面でも水中の燐や窒素を効果的に吸着することができる。
【００３２】
また、高炉水砕スラグはＳｉＯ２成分を多量（一般に、ＳｉＯ２：３０ｍａｓｓ％以上）に含み、且つ上記のような形態及び組織面での特質を有する。このため、以下に述べるような機構によって水中にケイ酸塩イオンを安定的に溶出し、このケイ酸塩イオンがスラグ粒子表面での付着藻類の着生、繁殖に大きく寄与する。
すなわち、水中に置かれた高炉水砕スラグは、水分子によるケイ酸塩網目構造の切断により徐々にケイ酸塩イオンが水中に溶解する作用に加えて、スラグから溶解したＣａイオンによるケイ酸塩網目構造の分断によりケイ酸塩イオンが水中に溶解する作用が得られる。
【００３３】
したがって、このような高炉水砕スラグのケイ酸塩イオンの溶出機構は、水分子によるケイ酸塩イオンの溶出作用と、Ｃａイオンのアタックによるケイ酸塩イオンの溶出作用とが組み合わされたものとなり、他のガラス質材料よりもはるかにケイ酸塩が溶出しやすい。加えて、高炉水砕スラグ上記のような形態及び組織面での特質を有するため、この面でもケイ酸塩の溶出性が高く、しかも高炉水砕スラグ粒子表面に多数存在する尖った部分は微細な形態であるため、微細な粉体が成分の溶解性が高いのと同様に、ケイ酸塩の溶解に非常に適している。
【００３４】
したがって、高炉水砕スラグを水中に沈設した場合、スラグ粒子から付着藻類の成育に有効なケイ酸塩が多量に溶出する結果、スラグ粒子やその集合物の表面に付着藻類が着生、繁殖しやすく、このため上記（ｂ）の作用も得られやすい。また、高炉水砕スラグは、上記のように多孔質組織を有しているため表面に付着藻類や水生植物が着生しやすく、この面でも上記（ｂ）の作用が得られやすい。
【００３５】
次に、都市ごみ溶融水砕スラグと発泡体状の都市ごみ溶融スラグについて説明する。
都市ごみ溶融スラグ（都市ゴミなどの廃棄物から直接得られる溶融スラグ及び廃棄物の焼却灰や石炭灰から得られる溶融スラグ）は、炉から溶融状態で取り出された後、冷却され固形状スラグとなるが、その際の代表的な冷却方式としては空冷又は徐冷方式、冷却ロールなどを用いた間接冷却方式、溶融状態にあるスラグに噴流水をかけて急冷する水砕方式がある。このうち水砕方式により得られるスラグが上記都市ごみ溶融水砕スラグであり、また、一般に空冷又は徐冷方式や間接冷却方式などのような水砕方式以外の方式で冷却されたスラグを発泡処理したものが上記発泡体状の都市ごみ溶融スラグである。
【００３６】
上記都市ごみ溶融水砕スラグは、廃棄物やその焼却灰、石炭灰などを高温還元雰囲気（例えば、ＣＯ−ＣＯ２雰囲気）中で加熱・溶融させることにより溶融スラグ中にガスが溶解し、これを水で急冷した際の酸化反応によってスラグ中に溶解しているガスが気泡化することによりスラグが発泡し、この結果、高炉水砕スラグと同様の多孔質組織となる。このため高炉水砕スラグと同様に水中での燐や窒素と吸着する能力が高く、また表面に付着藻類や水生植物が着生しやすいため、上記（ａ）及び（ｂ）の作用が得られやすい。
【００３７】
一方、発泡体状の都市ごみ溶融スラグは、以上述べた高炉水砕スラグや都市ごみ溶融水砕スラグに較べて、より多孔質な組織を有し、比表面積も大きいため、水質浄化材として最も優れた機能を有している。
一般に発泡体状の都市ごみ溶融スラグは、空冷又は徐冷方式や間接冷却方式などによる冷却がなされた都市ごみ溶融スラグを９００〜１２００℃程度で加熱処理して発泡させることにより得られる。
【００３８】
なお、この加熱処理される都市ごみ溶融スラグは、廃棄物を直接溶融させて得られたスラグ、廃棄物の焼却灰や石炭灰などを溶融させて得られたスラグのいずれでもよい。廃棄物やその焼却灰、石炭灰などを溶融させて得られた都市ごみ溶融スラグは黒色の光沢のあるガラス質であり、通常ＳｉＯ２を４０〜５０ｍａｓｓ％程度含み、ＣａＯ／ＳｉＯ２が０．３〜０．５程度の組成を有する。この都市ごみ溶融スラグには溶融時（特に、非酸化性又は還元性雰囲気下での溶融時）にＮ２などの微量なガス成分が溶解しており、このためスラグを加熱処理するとガラスから結晶が析出し、溶解していたガスがスラグから放出され、このガスの放出が駆動源となって発泡体状のスラグ粒子が生成する。この発泡体状のスラグ粒子は、製造条件の違いにより中空状又は擬似中空状の発泡体となる場合と非中空状の発泡体（例えば、軽石状の発泡体）となる場合があるが、いずれのものでもよい。
【００３９】
この発泡体状の都市ごみ溶融スラグの組織は、高炉水砕スラグや都市ごみ溶融水砕スラグに較べてさらに多孔質の度合いが高く且つ表面に微細な凹凸を有しているため比表面積も大きく、このため高炉水砕スラグや都市ごみ溶融水砕スラグに較べて水中での燐や窒素を吸着する能力が高く、上記（ａ）の作用が得られやすい。また、中空状又は擬似中空状の発泡体の場合には比表面積が特に大きいため、燐や窒素を吸着する能力がより高い。
【００４０】
また、この発泡体状の都市ごみ溶融スラグの組織は、上記のように都市ごみ溶融水砕スラグなどに較べて多孔質の度合いが高く、しかも表面に微細な凹凸を有しているため、スラグ粒子表面に付着藻類や水生植物が着生しやすく、このため上記（ｂ）の作用も得られやすい。
【００４１】
また、植生層３の植生効果をより高める他の方法として、植生層３に製鉄工程で製造される珪酸カルシウムを原料とした固形肥料を含ませるようにしてもよい。この製鉄工程で製造される珪酸カルシウムを原料とした固形肥料は、例えば製鉄工程の脱珪ステーションで製造される珪酸カルシウムにカリウム原料を添加、外部から熱を加えずに溶融させて製造する。
【００４２】
以上説明したように、本実施の形態の人工土壌においては、都市ごみ溶融スラグまたは鉄鋼スラグを重量比で５０％以上含むので、植物の育成い好適であると共に保水材や排水材が強風で飛散したり、また、植生層３に根を張った植物が強風で飛散したりする恐れがなく、建物の屋上等強風下での緑化にも好適である。また、植生層を構成する都市ごみ溶融スラグまたは鉄鋼スラグを池や河川になどの水中に沈設することで、植生効果を高めることが出来ると共に、池や河川の浄化を行うことができる。
【００４３】
実施の形態２．
図２は本発明の他の実施の形態の人工土壌の断面である。本実施の形態においては、植生層５を３層から構成したものである。植生層５を構成する３層は、最上層の育成土層５ａ、その下の保水層５ｂ、最下層の排水層５ｃから構成される。育成土層５ａは実施の形態１の育成層３と同様の都市ごみ溶融スラグまたは鉄鋼スラグを重量比５０％以上含む層である。
【００４４】
保水層５ｂは都市ごみ溶融スラグまたは鉄鋼スラグを繊維状に加工処理した親水性ロックウールからなる層である。排水層５ｃは、保水層５ｂと同様に都市ごみ溶融スラグまたは鉄鋼スラグを繊維状に加工処理したロックウールからなる層である。ただ、排水層５ｃはロックウールに撥水材を含ませてあり排水層としての機能を有する。
【００４５】
本実施の形態においては、植生層を３層から構成し、育成層５ａの下に親水性ロックウールからなる保水層５ｂ、排水性ロックウールからなる排水層５ｃを設けたので、排水性と保水性を容易に調整することができる。
【００４６】
実施の形態３．
図３は本発明の他の実施の形態の人工土壌の断面である。本実施の形態においては、実施の形態１では底面にだけ設けていた防根層１を側面にも設けるようにしたものである。
このようにすることで、緑化部の端部における防根に有効である。また、側面部の防根層１を取り外し可能にしておけば、必要に応じて取外し、隣接する土壌との連続性をもたせることもできる。
なお、植生層３が粒状である場合には防根層１で容器が形成され、事前に植生層３、植物植栽を施し、現場での施工の簡略化を図ることができる。
【００４７】
実施の形態４．
図４は本発明の他の実施の形態の断面図である。本実施の形態は、防根層と植生層からなる人工土壌を容器型とした容器型の人工土壌に関するものである。
本実施の形態の容器型人工土壌は、都市ごみ溶融スラグまたは鉄鋼スラグからなる版状体を容器型に形成した容器型植生層７と、該容器型植生層７の下面に結合キー８によって一体的に取り付けられた使用済みプラスチック再生材からなる防根層９と、容器型の植生層７の内部に形成された都市ごみ溶融スラグまたは鉄鋼スラグの粒状物からなる粒状植生層１１とから構成されている。
【００４８】
植生層７，１１、防根層９の材質等は実施の形態１で説明したものと同様である。
【００４９】
本実施の形態においては、人工土壌を容器型に構成したので、人工土壌設置場所と別な場所で植物２を植栽、育成した後、屋上等の設置場所に運搬、敷並べるだけで屋上等の緑化ができ、現地施工を大幅に簡略化することができる。
【００５０】
また、防根層９を結合キー８によって一体的に取り付けたので、版状体からなる容器型植生層７が補強され、スラグを版状の容器型に成形する際に必要なモルタルなどの結合材の使用量を減らすことができ、コスト低減を図ることができる。もっとも、容器型植生層７と防根層９との結合は結合キー以外の方法でもよいことは言うまでもない。
【００５１】
なお、容器型植生層７の測壁の高さを現地施工前の植物２の背丈よりも高く設定することで、現地施工前には容器型人工土壌を積み重ねることが可能となり、運搬等に便利である。
また、防根層９の端部に上側に凹む段部９ａを設けることで、容器型人工土壌を積み重ねることが容易となり、運搬時の省力化を促進できる。
【００５２】
実施の形態５．
図５は本発明の他の実施の形態の断面図であり、図４と同一部分には同一の符号を付している。本実施の形態は、実施の形態４と同様に、防根層と植生層からなる人工土壌を容器型とした容器型人工土壌に関するものである。
本実施の形態においては、実施の形態４の粒状植生層１１を無くし、その代わりに容器型植生層７の厚みを増したものである。
【００５３】
本実施の形態においては、粒状植生層１１を無くしたので、運搬等の際に粒状物がこぼれることがなく、取扱いが容易である。
なお、本実施の形態の容器型人工土壌は植物を種子から育成する場合に好適なものである。
【００５４】
【発明の効果】
以上のように、本発明においては、防根層と、該防根層の上に形成された植生層とを備えてなる人工土壌であって、植生層が都市ごみ溶融スラグまたは鉄鋼スラグを重量比５０％以上含むように構成したので、植物の育成に好適であると共に、建物の屋上などの緑化に使用した場合でも強風による植物の飛散を防止できる。
また、都市ごみ溶融スラグまたは鉄鋼スラグを用いていることから、コスト低減と循環型社会形成に寄与することができる。
【図面の簡単な説明】
【図１】本発明の一実施の形態の人工土壌の断面である。
【図２】本発明の他の実施の形態の人工土壌の断面である。
【図３】本発明の他の実施の形態の人工土壌の断面である。
【図４】本発明の他の実施の形態の人工土壌の断面である。
【図５】本発明の他の実施の形態の人工土壌の断面である。
【符号の説明】
１、９  防根層
２  植物
３、５  植生層
５ａ  育成層
５ｂ  保水層
５ｃ  排水層
７  容器型植生層
【図１】
2004173596.tif 000005
【図２】
2004173596.tif 000006
【図３】
2004173596.tif 000007
【図４】
2004173596.tif 000008
【図５】
2004173596.tif 000009